(57)【要約】【課題】シート類の最表面に対する上支持部材の姿勢を変化させることなく、１枚から多数枚のシート類を好適に挟み込むことができるクリップ装置を提供する。【解決手段】上下に対面配置される下支持部材２の上向面２１ａと上支持部材３の下向面３２ａとの間にシート類Ｐを差し挟むようにしたクリップ装置１に、少なくとも上支持部材３の姿勢を略一定に維持した状態で下支持部材２及び上支持部材３を所定の可動範囲内で相対的に上下方向へ平行移動させる昇降手段Ｘと、下支持部材２及び上支持部材３の相対移動を規制して上向面２１ａと下向面３２ａとの間に差し挟んだシート類Ｐを固定するロック手段Ｙとを設けた。【選択図】図２
2004136471.tif 000002
【特許請求の範囲】
【請求項１】
一枚又は複数枚の紙片等のシート類の最裏面側に下方から添接する下支持部材、及び最表面側に上方から添接する上支持部材を備え、上下に対面配置される下支持部材の上向面と上支持部材の下向面との間にシート類を差し挟んで固定し得るものであって、
少なくとも上支持部材の姿勢を略一定に維持した状態で下支持部材及び上支持部材を所定の可動範囲内で相対的に上下方向へ平行移動させる昇降手段と、下支持部材及び上支持部材の相対移動を規制して前記上向面と下向面との間に差し挟んだシート類を固定するロック手段とを具備してなることを特徴とするクリップ装置。
【請求項２】
下支持部材に、上支持部材の上下移動を案内するガイド部を設けるとともに、上支持部材に、前記ガイド部によって上下方向へ移動可能に案内される被ガイド部を設けている請求項１記載のクリップ装置。
【請求項３】
前記ガイド部及び被ガイド部が、相互に係合して共に上下方向に延びるレール状をなすものである請求項２記載のクリップ装置。
【請求項４】
ロック手段が、下支持部材及び上支持部材の相対移動を規制するロック姿勢と、その相対移動を許容するロック解除姿勢との間で回動し得るように下支持部材又は上支持部材の何れか一方に支持されたロック部材を備えている請求項１、２又は３記載のクリップ装置。
【請求項５】
ロック手段が、下支持部材又は上支持部材の何れか一方に対してロック部材を回動可能に支持させるカム軸を備え、該ロック部材に、該カム軸を中心とする回動動作に伴って下支持部材又は上支持部材の何れか他方に対して前記ロック姿勢において当接し前記ロック解除姿勢において離間するカム部を形成している請求項４記載のクリップ装置。
【請求項６】
ロック部材に、回動動作を操作し得る操作部を形成している請求項４又は５記載のクリップ装置。
【請求項７】
ロック部材に、ロック解除姿勢において上支持部材に当接して該上支持部材の下支持部材に対する上動可能範囲を前記可動範囲内に制限する当接部を形成している請求項４、５又は６記載のクリップ装置。
【請求項８】
ロック部材を、下支持部材に支持させている請求項４、５、６又は７記載のクリップ装置。
【請求項９】
下支持部材と上支持部材との間に、それら下支持部材及び上支持部材を相互に離反させる方向に力を付与する弾性部材を配置している請求項１、２、３、４、５、６、７又は８記載のクリップ装置。
【請求項１０】
下支持部材の上向面の一部又は上支持部材の下向面の一部の少なくとも何れか一方に、他方側に向けて弾性変形可能に突出してその他方側へシート類を押し当てる弾性押圧部を形成している請求項１、２、３、４、５、６、７、８又は９記載のクリップ装置。
【請求項１１】
弾性押圧部が、板バネ状をなすものである請求項１０記載のクリップ装置。
【請求項１２】
下支持部材に、その上向面に沿った所定位置にシート類の差し込みを案内する差込案内部を形成している請求項１、２、３、４、５、６、７、８、９、１０又は１１記載のクリップ装置。
【請求項１３】
上支持部材に、差し挟んだシート類の最表面に筆記可能であり、且つ筆記中の位置情報を示す信号を発信可能な筆記具から発信された当該信号を受信する位置信号受信手段を具備している請求項１、２、３、４、５、６、７、８、９、１０、１１又は１２記載のクリップ装置。
【請求項１４】
上支持部材に、差し挟んだシート類の最表面を照明可能な照明手段を具備している請求項１、２、３、４、５、６、７、８、９、１０、１１又は１２記載のクリップ装置。
【発明の詳細な説明】
【０００１】
【発明の属する技術分野】
本発明は、１枚以上の紙片等のシート類を差し挟むことができるクリップ装置に関するものである。
【０００２】
【従来の技術】
従来より、１枚の紙片から複数枚の紙片の束等のシート類を挟んで固定するためのクリップ装置が種々知られている。その応用例として、シート類の隅等を挟んで固定する機構を基本構成として、超音波や赤外線の発信装置を内蔵したペンから発信された当該超音波や赤外線からなる信号を受信することで、この信号をコンピュータに送信して、シート類の表面に描いた文字や図柄等を画像データとしてコンピュータに表示させるための位置信号受信機能を備えたクリップ装置や、照明器具を内蔵してシート類の表面を照明する機能を備えたクリップ装置等が提案されてきている（例えば、非特許文献１、非特許文献２参照）。上述した位置信号受信機能を備えたクリップ装置を例に挙げると、この種のクリップ装置には、シート類の最裏面側に下方から当接する下支持部材と、シート類の最表面側に上側から当接する上支持部材と、それら上下の支持部材同士を相互に近接させる方向に押し付けてそれらの間にシート類を挟み込むための挟み込み機構とを具備する構成が採用されており、特に挟み込み機構は、上支持部材を下支持部材に対して一部で軸により所定範囲内で回転可能に取り付け、バネ等の弾性体によって上支持部材の前端部を下支持部材の前端部に接近させる方向に力を付与したヒンジ式の構成とされているのが通例である。
【０００３】
【非特許文献１】
株式会社富士通研究所・ペリフェラルシステム研究所・計測制御システム研究部、“［ＰＲＥＳＳ　ＲＥＬＥＡＳＥ］手書き失跡をオンライン入力する超音波型電子ペンを開発”、［ｏｎｌｉｎｅ］、平成１４年３月５日、株式会社富士通研究所、［平成１４年１０月１０日検索］、インターネット＜ＵＲＬ　：　ｈｔｔｐ：／／ｐｒ．ｆｕｊｉｔｓｕ．ｃｏｍ／ｊｐ／ｎｅｗｓ／２００２／０３／５．ｈｔｍｌ＞
【非特許文献２】
西坂真人、“［ＺＤＮｅｔ　ＪＡＰＡＮ　ＮＥＷＳ　ＴＥＣＮＯＬＯＧＹ　ＮＥＷＳ　ＮＯＷ］ウワサの“超音波ペン“を見てきました”［ｏｎｌｉｎｅ］、平成１４年３月８日、ソフトバンク・ジーディーネット株式会社、［平成１４年１０月１０日検索］、インターネット＜ＵＲＬ　：　ｈｔｔｐ：／／ｗｗｗ．ｚｄｎｅｔ．ｃｏ．ｊｐ／ｎｅｗｓ／０２０３／０８／ｆｕｊｉｔｓｕ＿ｌａｂｏ．ｈｔｍｌ＞
【０００４】
【発明が解決しようとする課題】
ところが、このようなクリップ装置では、シート類を前端部側において好適に挟むために、ヒンジ式の挟み込み機構は下支持部材及び上支持部材の後端部側に軸を配置して、上支持部材の前端部と下支持部材の前端部との間のシート類を挟むための空間が拡縮するように上支持部材の前端部を正逆方向に回転可能とする構成となっている。すなわち、上支持部材の回転動作に伴って、位置信号受信機能を備えたクリップ装置や照明機能を備えたクリップ装置では、通常は上支持部材の前端部に設けられる超音波や赤外線の受信部、或いは照明器具が斜め下を向いたり斜め上を向くなど、上支持部材の後端部の軸を支点にして首振り動作を行ってシート類の最表面に対する姿勢を変更することになる。そのために、ペンの位置信号受信機能を備えたクリップ装置の場合は、挟み込むシート類の厚さによって、前記受信部とペンとの位置関係が微妙に変化する結果、ペンの位置認識結果が変化して、筆記された文字等を適切な画像として表示できなくなる可能性がある。一方、照明機能を備えたクリップ装置では、シート類の枚数が少ないときにはその最表面を好適に照明することができるが、シート類の枚数が多く厚みが嵩張るときには、照明器具が上を向くためシート類の最表面をうまく照らすことができなくなるおそれがある。
【０００５】
そこで本発明は、以上のような問題に鑑みて、シート類の最表面に対する上支持部材の姿勢を変化させることなく、１枚から多数枚のシート類を好適に挟み込むことができるクリップ装置を提供することを、主たる目的としている。
【０００６】
【課題を解決するための手段】
すなわち、本発明のクリップ装置は、一枚又は複数枚のシート類の最裏面側に下方から添接する下支持部材、及び最表面側に上方から添接する上支持部材を備え、上下に対面配置される下支持部材の上向面と上支持部材の下向面との間にシート類を差し挟んで固定し得るものであって、少なくとも上支持部材の姿勢を略一定に維持した状態で下支持部材及び上支持部材を所定の可動範囲内で相対的に上下方向へ平行移動させる昇降手段と、下支持部材及び上支持部材の相対移動を規制して前記上向面と下向面との間に差し挟んだシート類を固定するロック手段とを具備してなることを特徴とする。ここで、シート類の最裏面及び最表面とは、一枚のシート類の場合はその裏面及び表面を意味し、複数枚を重合したシート類の場合は最も下に位置するシート類の裏面及び最も上に位置するシート類の表面を意味する。
【０００７】
このような構成のクリップ装置であれば、昇降手段によって上支持部材を下支持部材に対してその姿勢を保ったままで上下に位置を変化させることができるので、下支持部材の上向面と上支持部材の下向面との間に差し挟んだシート類をロック手段によって固定すれば、シート類の枚数、厚さを問わず、最も表面側に配置されたシート類の表面である最表面に対する上支持手段の位置関係を常に略一定に維持することができる。そのため、例えば上支持部材に、差し挟んだシート類の最表面に筆記可能であり且つ筆記中の位置情報を示す信号を発信可能な筆記具から発信された当該信号を受信する位置信号受信手段や、差し挟んだシート類の最表面を照明可能な照明手段等の機器類取付部を設ける場合、シート類の最表面に対するそれら機器類の相対位置も、差し挟まれたシート類の枚数や厚さに依らず常に略一定に保たれる。したがって、上支持部材に前記位置信号受信手段を設ける場合には、シート類に筆記するペンの位置を常に正しい状態で認識することができ、上支持部材に照明手段を設ける場合には、シート類の最表面を常に一定の状態で照明することができることになり、従来のクリップ装置の不具合又は不具合の生じる可能性を解消することができる。
【０００８】
特に、下支持部材と上支持部材との相対的な上下移動をスムーズに行い得るようにするためには、下支持部材に、上支持部材の上下移動を案内するガイド部を設けるとともに、上支持部材に、前記ガイド部によって上下方向へ移動可能に案内される被ガイド部を設け、これらガイド部と被ガイド部とを通じて下支持部材及び上支持部材を相対的にスライド移動させるようにすることが望ましい。そのための簡易な具体的構成としては、ガイド部及び被ガイド部を、相互に係合して共に上下方向に延びるレール状をなすものとした構成を挙げることができる。
【０００９】
一方、ロック手段による下支持部材及び上支持部材の移動規制又はその解除を簡単な操作で容易に行うための構成としては、ロック手段に、下支持部材及び上支持部材の相対移動を規制するロック姿勢と、その相対移動を許容するロック解除姿勢との間で回動し得るように下支持部材又は上支持部材の何れか一方に支持されたロック部材を設けるとよい。そして、このような下支持部材及び上支持部材の相対移動の禁止と解除をさらに適切且つ簡便なものとするためには、ロック手段に、下支持部材又は上支持部材の何れか一方に対してロック部材を回動可能に支持させるカム軸をさらに設け、このロック部材に、カム軸を中心とする回動動作に伴って下支持部材又は上支持部材の何れか他方に対してロック姿勢において当接しロック解除姿勢において離間するカム部を形成することが好ましい。
【００１０】
さらに、ロック部材の操作性を向上するには、ロック部材に、回動動作を操作し得る操作部を形成することが望ましい。
【００１１】
また、ロック解除時に上支持部材が他の部材から外れて再度組み立てなければならないような不具合を防止するためには、ロック部材に、ロック解除姿勢において上支持部材に当接して該上支持部材の下支持部材に対する上動可能範囲を前記可動範囲内に制限する当接部を形成しておくのが好適である。
【００１２】
なお、シート類を差し挟んだ状態では、下支持部材の一部又は大半がシート類の下敷きとなって隠れてしまうが、上支持部材はその大半又は全部がシート類の最表面よりも上方に表出しているため、下支持部材を動かさずに上支持部材を下支持部材に対して上下動作させた方が、操作性及び安定性に優れている。このことから、ロック部材は、下支持部材に支持させることにより、ロック部材自体と上支持部材の操作性と安定性が向上する。
【００１３】
また、ロック手段による下支持部材及び上支持部材の相対移動を解除した際に、自動的に上支持部材が持ち上がるようにして、わざわざ上支持部材を持ち上げる操作の必要性をなくすには、下支持部材と上支持部材との間に、それら下支持部材及び上支持部材を相互に離反させる方向に力を付与する弾性部材を配置するとよい。
【００１４】
差し挟んだシート類をより強固に固定して、シート類がずれるのを防止するためには、下支持部材の上向面の一部又は上支持部材の下向面の一部の少なくとも何れか一方に、他方側に向けて弾性変形可能に突出してその他方側へシート類を押し当てる弾性押圧部を形成することが望ましい。このようにすることで、上支持部材に位置認識手段や照明手段等の機器類を設ける場合に、各手段による機能を十分に発揮させることができる。具体的な弾性押圧部の構成としては、板バネ状をなすものであれば、シート類の固定を確実なものとすることができるだけでなく、弾性押圧部として別体の部品を用いる必要もない。
【００１５】
また、シート類を適切な位置に配置できるようにするには、下支持部材に、その上向面に沿った所定位置にシート類の差し込みを案内する差込案内部を形成することが望ましい。
【００１６】
【発明の実施の形態】
以下、本発明の一実施形態を、図面を参照して説明する。
【００１７】
図１〜図１１に示すこの実施形態は、図１に示す電子ペンシステムＡにおいて用いられるクリップ装置１である。電子ペンシステムＡは、このクリップ装置１と、電子ペンＥＰと、情報処理装置たるパーソナルコンピュータ等ＰＣから構成される。まず始めに、電子ペンシステムＡの概要について簡単に説明する。電子ペンＥＰは、適宜のシート類の一種である用紙Ｐに筆記可能なペン先ＥＰ１及びペン先ＥＰ１を保持する本体部ＥＰ２を備え、本体部ＥＰ２に、ペン先ＥＰ１の用紙Ｐの表面への接触を検知して超音波を発信する超音波発信機器（図示省略）と、ペン先ＥＰ１から出るインクの色ごとに異なる波長の赤外線を発信するように設定された赤外線発信機器（図示省略）とを内蔵している。一方、クリップ装置１は、１枚の用紙Ｐ又は複数枚の用紙Ｐの束を差し挟んで固定するものであり、電子ペンＥＰから発信された超音波を受信して用紙Ｐの表面上における電子ペンＥＰの位置を認識する超音波手段と、赤外線を受信して筆記中の電子ペンＥＰのインクの色を識別する赤外線受信手段と、これら受信した超音波及び赤外線に基づく所定の電気信号を有線又は無線によりパーソナルコンピュータＰＣに送信する信号送信手段とを備えている。図示例では、超音波及び赤外線に基づく電気信号は、クリップ装置１からＵＳＢ等の通信線Ｃを経てパーソナルコンピュータＰＣへ送信する態様を示している。そして、パーソナルコンピュータＰＣには、所定のプログラムが組み込まれており、クリップ装置１から受信した電気信号に基づいて、赤外線に基づく信号からその波長を解析して筆記された電子ペンＥＰの色を判断するとともに、赤外線受信手段で受信した赤外線の電子ペンＥＰからの到達時間と超音波受信手段で受信した超音波の電子ペンＥＰからの到達時間の差分により用紙Ｐの表面Ｐａ上における電子ペンＥＰの位置及び軌跡を検出して、用紙Ｐの表面Ｐａに筆記された文字や図柄を画像としてディスプレイＰＣｄに表示して再現するようにしている。
【００１８】
このような電子ペンシステムにおいて用いられる本実施形態のクリップ装置１は、図２〜図１１に示すように、用紙Ｐを差し挟んで固定するための構造として、下支持部材２、上支持部材３及びロック部材４を有しており、上支持部材３に上述した超音波受信手段及び赤外線受信手段を含む信号受信手段と信号送信手段とを構成する電子機器（図示省略）を内蔵している。また、このクリップ装置１は、下支持部材２と上支持部材３とが相対的に上下方向へ移動し、その移動の任意の位置で下支持部材２と上支持部材３とがその間に用紙Ｐを挟み込んだ状態で相互に固定されるようになっており、そのための構成として、昇降手段Ｘ及び前記ロック部材４を主体とするロック手段Ｙを有している。
【００１９】
下支持部材２は、図３に詳細に示すように、主としてデスク等の天板等に載置される板状部２１と、この板状部２１の後端部に起立姿勢で設けられた柱状をなす左右一対の起立部２２とを有する合成樹脂又は金属の一体成形品である。板状部２１は、平面視概略長方形状をなし、その厚さは数ｍｍ程度である。板状部２１の前端側における左右両端部２１１は、部分円弧状に丸みを帯びた形状としており、それらの間に平面視概略台形状をなすように切欠２１２を形成している。また、板状部２１の上向面２１ａには、両側端部における奥行き方向中央部よりもやや前方位置から後端の巾方向中央部に亘る部位に、平面視直角三角形の直交する二辺をなす形状に段差２１３を形成しており、この段差２１３を境にしてそれよりも前方の領域を後方領域よりも約１ｍｍ程度低い用紙Ｐの差込領域２１ｓとしている。すなわち、前記段差２１３は、この差込領域２１ｓに用紙Ｐを適正に差し込むための差込案内部として機能する。なお、段差２１３の奥行き方向中央部には、後述する上支持部材３の位置決めのために利用する矩形状のボス穴２１４を、板状部２１の厚み方向に形成している。また、板状部２１における差込領域２１ｓの中央部には、差し込んだ用紙Ｐを下方から押し上げる弾性押圧部２１５を形成している。この弾性押圧部２１５は、矩形の板バネ状をなすものである。具体的には、差込領域２１ｓにおける板状部２１の肉厚を矩形に開口させて、その開口の内側に弾性押圧部２１５を配置しているが、弾性押圧部２１５はその前縁２１５ａを前記開口の内側前縁に連続させ、弾性押圧部２１５の側縁及び後縁は前記開口と切り離した状態となっている。すなわち、この弾性押圧部２１５は、前縁２１５ａを中心として、それよりも後端部側を弾性変形により上下に所定範囲内で回動する。さらに弾性押圧部２１５は、後方へ向けて漸次上昇する姿勢で設けてあり、開放された後端部２１５ｂは、上方へ部分円弧状に膨出させて厚肉として、用紙Ｐを差し込んでいない状態でその後端部２１５ｂの頂部の高さが前記段差２１３の後方領域の上面の高さ若干（例えば約１〜２ｍｍ程度）高くなるようにしている。また、差込領域２１ｓにおいては、丸みを帯びた左右の前端部の内側に、段差２１３の高さよりも若干低い程度に上方へ部分球面状に膨出させた突起２１６を左右対にして設けているが、これらの突起２１６は、差込領域２１ｓに差し挟んだ用紙Ｐを下方から支持するために設けたものである。なお、板状部２１の底部には、図５〜図１０に示すように、板状のマグネットシート２６を取り付け得るようにしている。このマグネットシート２６は、板状部２１が載置されるデスクの天板等がスチール等の金属製である場合にその天板等に吸着させて、下支持部材２を固定する場合に利用するものである。
【００２０】
また、起立部２２は、それぞれ板状部２１の後縁及び側縁が交差する隅部に沿って板状部２１の底部から例えば約２ｃｍ余りの高さをもって起立させて設けた矩形柱状をなしている。なお、起立部２２は、その後端部を板状部２１の後縁よりも例えば数ｍｍ程度後方へ突出させている。さらに、起立部２２の上端部には、後述するカム軸５を挿入させて支持するための貫通孔２２１を略水平方向に形成している。また、これら一対の起立部２２が相互に対面する内向面における前端部側に、上支持部材３の上下方向への移動を案内するガイド部２３をそれぞれ形成している。これらガイド部２３は、いずれも起立部２２の奥行き方向の半分程度の奥行き寸法をもって内側へ突出させた矩形のレール状をなしており、その高さ寸法を例えば約１ｃｍ程度としている。また、ガイド部２３の前面は、起立部２２の前面に一致させている。
【００２１】
さらに、板状部２１の後端部には、左右の起立部２２よりもやや内側位置に、円柱状をなす一対の突条２４を起立姿勢で設けている。これらの突条２４には、それぞれ弾性部材であるコイルバネ２５が装着される。
【００２２】
上支持部材３は、下方に開口する無底中空の筐体３１と、筐体３１の底部を閉塞する底板３２とを主体として構成したものであり、内部に超音波受信手段と赤外線受信手段からなる信号受信手段、及び信号送信手段を構成する電子基盤等の電子機器（図示省略）を収容している。なお、電子機器の一部としてメモリを装着している場合には、信号を逐次パーソナルコンピュータＰＣに送信するのではなく、受信した信号をメモリ蓄積しておき、後でパーソナルコンピュータＰＣに送信するように構成することができる。筐体３１は、上壁３１１、前壁３１２、両側壁３１３及び後壁３１４を一体に有する合成樹脂又は金属の一体成形品である。上壁３１１は、前述した下支持部材２と略同一の幅寸法と、下支持部材２の起立部２２の前面から下支持部材２の前縁を若干越える程度の奥行き寸法を有する概略矩形状をなしている。また、この上壁３１１の前端部における左右両側端部は、斜め前方へ部分円弧状に突出させた形状としている。さらに、上壁３１１には、図示しない電子機器に電気的に接続されたスイッチ３１１ａの頭部を表出させている。前壁３１２、両側壁３１３及び後壁３１４は、それぞれ上縁を上壁３１１に連続させ、下支持部材２の段差２１３の後方領域における前記起立部２２と略同一の高さ寸法を有している。前壁３１２と側壁３１３の境界部分は、上壁３１１の前端部における左右両側端部の突出形状に対応しているため、この部位に、外観視部分円筒状の膨出壁３１５が左右に対をなして形成されている。そして、これら膨出壁３１５の一部をそれぞれ矩形状に切り開けた形状の第１の窓部３１５ａを形成して、この第１の窓部３１５ａに超音波を通過させ得る素材からなる第１のカバー３１５ｂを装着している。すなわち、この第１のカバー３１５ｂの内側に超音波受信手段を構成する超音波受信装置を設け、電子ペンＥＰから発信された超音波を受信するようにしている。さらに、前壁３１２の巾方向中央部にも、矩形状に切り開けた形状の第２の窓部３１２ａを形成して、この第２の窓部３１２ａに赤外線を通過させ得る透明なプラスチック又はガラスからなる第２のカバー３１２ｂを装着している。すなわち、この第２のカバー３１２ｂの内側に赤外線受信手段を構成する赤外線受信装置を設け、電子ペンＥＰから発信された赤外線を受信するようにしている。また、後壁３１４にも、矩形状に切り開けた形状をなす第３の窓部３１４ａを形成して、この第３の窓部３１４ａを通じて内部の信号送信手段を構成する送信装置とパーソナルコンピュータＰＣとを接続する通信線Ｃを通過させるようにしている。なお、クリップ装置１内の電子機器への電源供給は、パーソナルコンピュータＰＣからこの通信線Ｃを通じて行われるようにしているが、通信線Ｃを用いずに無線通信とする場合などは、電池等の電源をクリップ装置１内に内蔵したり、別途の電源コードをクリップ装置１から引き出すようにすることができる。
【００２３】
また、底板３２は、その下向面３２が上支持部材３の下向面を構成するものであって、前記上壁３１１に略対応する形状の平板状をなす合成樹脂又は金属の一体成形品であり、筐体３１の底部に嵌め込んだ位置で一又は複数箇所をビス止めすることにより筐体３１の内部空間を下方から隠蔽する。また、底板３２の下向面３２ａには、図５及び図９に示すように、下支持部材２の板状部２１に形成したボス穴２１４に対応する位置に、このボス穴２１４に挿入可能な矩形状をなす左右一対のボス３２１を下方へ突出させて底板３２と一体に形成しており、後述するように上支持部材３を下支持部材２に装着した際に、このボス３２１がボス穴２１４に挿入されることにより、上支持部材３の下支持部材２に対する位置決めがなされる。
【００２４】
また、後壁３１４における第３の窓部３１４ａの両側部には、さらに後方へ突出させた突出体３１６を、この後壁３１４と一体に設けている。この突出体３１６の後方への突出長さは、突出体３１６の後縁と下支持部材２の板状部２１の後縁とが略一致する程度であり、突出体３１６の高さ寸法は、前記ガイド部２３の高さ寸法よりも小さく、且つガイド部２３の上端と起立部２２の上端との間の距離に略等しい。これら突出体３１６は、いずれも無底中空の箱状をなすものであり、各突出体３１６の外側端部における前端側に、後壁３１５の外面と共に上下に延びるレール状の連続溝からなる被ガイド部３１６ａを形成している。被ガイド部３１６ａは、ガイド部２３に対応する形状をなしており、被ガイド部３１６ａをガイド部２３に沿わせて上支持部材３を下支持部材２の上に重合するように上方から落とし込むことができるようにしている。このように上支持部材３を下支持部材２に装着した後は、ガイド部２３に被ガイド部３１６ａが案内されて上支持部材３を下支持部材２に対して上下にスライド移動させることができる。すなわち、これらガイド部２３と被ガイド部３１６ａとによって、昇降手段Ｘを構成している。また、各突出体３１６の内部には、図９及び図１１に示すように、それぞれ下方に開口させた円筒部３１６ｂを形成しており、この円筒部３１６ｂ内に、下支持部材２に形成した突条２４と、この突条２４に嵌めたコイルバネ２５とを挿入し得るようにしており、前記昇降手段Ｘに案内されて上支持部材３を下支持部材２に装着した際に、コイルバネ２５が圧縮されて復元力を蓄積するようにしている。
【００２５】
ロック部材４は、下支持部材２にカム軸５を介して回動可能に支持されるものであり、左右に延びる棒状の被支持部４１と、この被支持部４１の左右両側端部において前記第３の窓部３１４ａを通じて後方へ延びる通信線Ｃと干渉しないように垂下させた一対の板状をなす操作部４２とを一体に有する合成樹脂又は金属の一体成形品である。なお、このロック部材４は、カム軸５と共にロック手段Ｙを構成している。すなわち、ロック手段Ｙは、昇降手段Ｘによる任意の移動位置で下支持部材２と上支持部材３との相対的なスライド移動を選択的に規制し得るものである。
【００２６】
被支持部４１は、下支持部材２の起立部２２間の距離に略対応した幅寸法を有しており、起立部２２に形成された貫通孔２２１に対応するように、丸ピン状のカム軸５の先端部を挿入可能な孔部４１ａを、左右の両側面４１５にそれぞれ開口させて形成している。そして、被支持部４１は、左右の起立部２２間に配置され、各貫通孔２２１及び孔部４１ａに外方からカム軸５を挿入することで、下支持部材２に回動可能に支持される。ここで、図２、図４、図５（ａ）、図６（ａ）（ｃ）、図７（ａ）（ｃ）、図８（ａ）（ｃ）に示すように、このようにして操作部４２を略鉛直に垂下させたロック部材４の姿勢を、ロック姿勢４ｐとする。また、ロック部材４は、このロック姿勢４ｐから操作部４２を後方へ略水平に跳ね上げた姿勢まで回動可能とされているが、図３、図５（ｂ）、図６（ｂ）、図７（ｂ）、図８（ｂ）に示すように、このように操作部４２を跳ね上げた姿勢を、ロック解除姿勢４ｑとする。以下、ロック姿勢４ｐにあるロック部材４を基本にして、被支持部４１及び操作部４２の具体的構成を説明する。
【００２７】
上支持部材３を最も降下させた位置でロック姿勢４ｐにおける被支持部４１の上面４１１、前面４１２、底面４１３、背面４１４、及び両側面４１５は、いずれも平面的に形成している。上面４１１は、前記起立部２２の上面及び筐体３１の上壁３１１の上面と略同一高さに位置付けている。また、前面４１２は、筐体３１の後壁３１４に接するか若干離間した位置で前後に対面させている。さらに底面４１３は、前記突出体３１６の上面３１５ｃに上方から対面して当接している。また、背面４１４は、前記起立部２２の背面の位置と略一致させている。ここで、図１０に示すように、前記孔部４１ａの中心ｍから上面４１１までの距離ｄ１と孔部４１ａの中心ｍから前面４１２までの距離ｄ２は略同一であり、この距離ｄ１，ｄ２よりも孔部４１ａの中心ｍから底面４１３までの距離ｄ３を若干長く設定している。また、操作部４２は、上支持部３の左右両端部において垂下させた平板状をなしており、その背面４２１及び外側面４２２を上支持部材３の背面４１４及び側面４１５にそれぞれ連続させ、前面４２３を上支持部材３の底面４１３と略直交させている。そして、前面４２３の下端部に、平面４２１に連続して斜め前方を向くテーパ面４２４を形成しており、ロック部材４がロック姿勢４ｐにある場合に、後下方からテーパ面４２４に使用者が指を差し込んでロック部材４を後方へ引き上げやすいようにしている。
【００２８】
さらに、カム軸５を中心としてこのロック部材４をロック姿勢４ｐとロック解除姿勢４ｑとの間の略９０°の角度範囲内で回動させるために、前面４１２と底面４１３の境界領域に側面視部分円弧状の湾曲面４１６ａを形成したカム部４１６を設定している。また、上支持部材３を最も降下させた位置において、突出体３１６の上面３１５ｃよりも上方へ突出しているガイド部２３の上端部を避けるために、前面４１２及び底面４１３の境界領域の両側端部を部分的に切り欠いた形状の切欠部４１７を設け、この切欠部４１７に孔部４１ａの中心ｍを中心とする部分円弧状の湾曲面４１７ａを形成している。すなわち、前記カム部４１６の湾曲面４１６ａの中心ｎは、切欠部４１７の湾曲面４１７ａの中心ｍから略真下に数ｍｍ程度偏位した位置に設定されている。このようにすることで、切欠部４１７の湾曲面４１７ａがガイド部２３の上端に当接するとともに、カム部４１６の湾曲面４１６ａが突出体３１６の上面３１５ｃに当接しつつ、ロック部材４がロック姿勢４ｐとロック解除姿勢４ｑとの間でスムーズに回動するようにしている。ここで、ロック姿勢４ｐにおいては、被支持部４１の底面４１３が突出体３１６の上面３１５ｃに当接して上支持部材３の上動を規制している。一方、ロック解除姿勢４ｑにおいては、被支持部４１の前面４１２が下方を向いており、最も降下した位置にある上支持部材３の突出体３１６の上面３１５ｃから浮上した位置にあるので、上支持部材３を、突出体３１６の上面３１５ｃが下を向く被支持部４１の前面４１２に下方から当接する位置まで上動させることができる。すなわち、ロック解除された状態では、上支持部材３の可動範囲の最上位点が、ロック解除姿勢４ｑにある被支持部４１の前面４１２によって規定されることになり、この前面４１２が当接部として機能することになる。
【００２９】
次に、本クリップ装置の特に用紙ｐを差し挟む際の使用方法、及び使用時に奏される効果について説明する。なお、以下の操作は、下支持部材２に設けたマグネットシート２６をスチール製等のデスクの天板に吸着させている場合には、クリップ装置１を使用者が手で持ち上げることなく、片手で簡単に行うことができる。まず、ロック部材４がロック姿勢４ｐにあり、図２及び図５（ａ）に示すように用紙Ｐを挟んでいない状態から、使用者が前記操作部４２のテーパ面４２４に指を差し入れてロック部材４を、図３、図５（ｂ）、図６（ｂ）、図７（ｂ）及び図８（ｂ）に示すロック解除姿勢４ｑまで後方へ回動させて操作部４２の背面４２１が上方を向くように操作する。ロック部材４がロック解除姿勢４ｑに位置付けられると、弾性部材たるコイルバネ２５が蓄積していた弾性復帰力により伸長して上支持部材３を持ち上げるため、上支持部材３は、突出体３１６の上面３１５ｃが下方を向く被支持部４１の前面４１２に当接する位置まで自動的に上方へスライド移動する。したがって、使用者による上支持部材３を手で持ち上げる操作は不要である。このスライド移動は、下支持部材２に形成したガイド部２３に上支持部材３に形成した被ガイド部３１６ａが案内されて行われるため、極めてスムーズ且つ正確である。
【００３０】
このように、上支持部材３を上方へ移動させた状態では、下支持部材２の板状部２１の上向面２１ａと上支持部材３の底板３２の裏面３２ａとは離間しており、それらの間に形成された空隙における差込領域２１ｓに、例えば１枚乃至数枚程度の少数枚の薄い用紙Ｐの角を差し込む。その際、用紙Ｐの角は、下支持部材２の板状部２１に形成した段差２１３に案内されて、その段差２１３の起立面に当接する位置まで差し込まれるので、用紙Ｐを適切な位置へ好適に配置することができる。そして、操作部４２を前下方へ回動させると、切欠部４１７の湾曲面４１７ａがガイド部２３の上端に当接するとともに、カム部４１６の湾曲面４１６ａが突出体３１６の上面３１５ｃに当接するため、ガイド部２３に被ガイド部３１６ａが案内されつつ上支持部材３が徐々に押し下げられる。さらに操作部４２をロック姿勢４ｐまで回動し終えると、上支持部材３は、その突出体３１６の上面３１５ｃが下を向いた被支持部４１の下面４１３に当接しているために上動が禁止される。その状態で、図６（ａ）、図７（ａ）、図８（ａ）に示すように、上支持部材３の下向面である底板３２の下向面３２ａが用紙Ｐの表面Ｐａに添接する一方、下支持部材２の上向面である板状部２１の上向面２１ａ、より具体的には弾性押圧部２１５の上面が用紙Ｐの裏面Ｐｂに添接することとなって、差込領域２１ｓ内に用紙Ｐをしっかりと位置ずれを生じさせずに挟み込むことができる。なお、用紙Ｐの裏面Ｐｂは、下支持部材２に設けた２つの突起２１６によっても下方からサポートされている。このとき、上支持部材３の筐体３１の前壁３１２及び膨出壁３１５は、略鉛直な姿勢にあるため、第１の窓部３１５ａ及び第２の窓部３１２ａを通じて、用紙Ｐに筆記中の電子ペンＥＰから発信された超音波や赤外線を適切に受信することができ、その結果、パーソナルコンピュータＰＣに再現される画像を適正なものとすることができる。なお、クリップ装置１から用紙Ｐを抜き出す際には、上述した操作と逆の操作、すなわち、ロック姿勢４ｐにあるロック部材４をロック解除姿勢４ｑまで跳ね上げる操作を行えばよい。
【００３１】
また、このクリップ装置１に最大差込枚数（例えば３０枚程度）の用紙Ｐの束又はそれの厚さに相当する厚紙を差し込んで使用する場合にも、ロック部材４をロック解除姿勢４ｑとして、相互に離間している下支持部材２の板状部２１の上向面２１ａと上支持部材３の底板３２の裏面３２ａとの間に形成された空隙における差込領域２１ｓに、用紙Ｐの束の角を差し込む。その際、用紙Ｐの束の角は、下支持部材２の板状部２１に形成した段差２１３に案内されて、その段差２１３の起立面に当接する位置まで差し込まれるので、用紙Ｐの束を適切な位置へ好適に配置することができる。そして、操作部４２を前下方へ回動させると、切欠部４１７の湾曲面４１７ａがガイド部２３の上端に当接するとともに、カム部４１６の湾曲面４１６ａが突出体３１６の上面３１５ｃに当接するため、上支持部材３が徐々に押し下げられる。さらに操作部４２をロック姿勢４ｐまで回動し終えると、上支持部材３は、その突出体３１６の上面３１５ｃが下を向いた被支持部４１の下面４１３に当接しているために上動が禁止される。その状態で、図６（ｃ）、図７（ｃ）、図８（ｃ）及び図１０に示すように、上支持部材３の下向面３２ａが一番上の用紙Ｐの表面Ｐａに添接する一方、下支持部材２の上向面である弾性押圧部２１５の上面が一番下の用紙Ｐの裏面Ｐｂに添接する。また、弾性押圧部２１５は、上支持部材３及び用紙Ｐの束によって下方へ押し下げられるが、そのために弾性押圧部２１５が上方へ復帰する力を蓄積するため、用紙Ｐの束がこの弾性押圧部２１５と上支持部材３の下向面３２ａとの間に強固に挟み込まれて固定される。その結果、差込領域２１ｓ内に用紙Ｐの束をしっかりと位置ずれを生じさせずに挟み込むことができる。なお、このときも、一番下の用紙Ｐの裏面Ｐｂは、下支持部材２に設けた２つの突起２１６によって下方からサポートされている。このとき、１枚の用紙Ｐ又は少数枚の用紙Ｐを挟んだ場合と同様に、上支持部材３の筐体３１の前壁３１２及び膨出壁３１５は、略鉛直な姿勢にあるため、第１の窓部３１５ａ及び第２の窓部３１２ａを通じて、一番上の用紙Ｐに筆記中の電子ペンＥＰから発信された超音波や赤外線を適切に受信することができ、その結果、パーソナルコンピュータＰＣに再現される画像を適正なものとすることができる。このように、本実施形態のクリップ装置１によれば、差し挟む用紙Ｐの枚数や厚さに関係なく、用紙Ｐの最表面Ｐａに対する上支持部材３の位置関係及び姿勢を略一定に維持することができるため、用紙Ｐに手書きした文字や図柄を常に正しく画像データとしてパーソナルコンピュータＰＣに取り込んでディスプレイＰＣｄに再現することが可能である。
【００３２】
なお、本実施形態において説明した各部の構成は、上述したようなものに限られない。例えば、この実施形態では、弾性押圧部２１５を下支持部材２に設けているが、上支持部材３に同様の弾性押圧部を設けたり、下支持部材２と上支持部材３の両方に相互に対面する弾性押圧部を設けるようにしてもよい。また、弾性部材としてコイルバネ２５以外のゴム等の弾性体を適用することも可能であるし、弾性部材を設けない構成とすることもできる。その他、各部の具体的構成についても上記実施形態に限られるものではなく、本発明の趣旨を逸脱しない範囲で種々変形が可能である。
【００３３】
また、変形例として、上述した実施形態のクリップ装置１に設けた電子ペンＥＰからの信号を受信する機能に換えて、図１２に示すように、上支持部材３に照明装置を内蔵したクリップ装置１０を挙げることができる。このクリップ装置１０においては、上述した実施形態のクリップ装置１の下支持部材２、上支持部材３及びロック部材４については共通のものを適用している。そして、上支持部材３に形成した第２の窓部３１２ａの内側に、カバー３１２ｂを通じて外部を照射可能なＬＥＤや電球等及び電池等の電源又は電源コード等からなる照明装置（図示省略）を装備させている。このようなクリップ装置１０では、上述したクリップ装置１と同様に、下支持部材２と上支持部材３との間に差し挟む用紙Ｐの枚数や厚さに拘わらず、用紙Ｐの最表面Ｐａに対する上支持部材３の位置関係及び姿勢を略一定に維持して用紙Ｐを適正に照明することができる。したがって、室内を暗くした会議室等において用紙Ｐにメモを取る際に極めて有用であり、また、照明装置の光が上を向かないので、他の人の迷惑になることもない。なお、この変形例では、第２の窓部３１２ａを通じて内部の照明装置から光を照射するようにしているが、第１の窓部３１５ａの内側にも照明装置を設けたり、その他に照明装置専用の窓部を上支持部材３に形成するような変更を加えることが可能であり、電子ペンＥＰからの信号受信機能と照明機能の両方を兼ね備えたクリップ装置とすることも可能である。また、信号受信機能や照明機能以外の機能を設けることや、このような機能を設けないクリップ装置が本発明の範疇に含まれるのはいうまでもない。
【００３４】
その他、本発明は、上述の実施形態やその変形例に限られるものではなく、本発明の趣旨を逸脱しない範囲で種々変更することが可能である。
【００３５】
【発明の効果】
本発明は、以上に詳述したように、用紙等のシート類を差し挟んで固定するクリップ装置において、シート類の最裏面に下側から添接する下支持部材に対して、シート類の最表面に上側から添接する上支持部材を、昇降手段によってその姿勢を維持した状態で上下に移動可能とし、さらにシート類を差し挟んだ状態でロック手段によって上下の支持部材の相対的な動作を規制する構成を有している。したがって、差し挟まれるシート類の枚数や厚さに全く関係なく、シート類の最表面に対する上支持部材の相対位置及び姿勢を常に略一定に保つことができる。その結果、例えば電子ペンシステムにおいて電子ペンから発信される位置信号を受信するための位置信号受信手段を上支持部材に設ける場合には、シート類の枚数が多く厚みも大きい場合でも、シート類の枚数が少なく厚みが小さい場合と同様に、シート類の最表面に筆記される文字や図柄を電子ペンから適正に受信して、パーソナルコンピュータ等に筆記された通りの画像を再現することができる。また、上支持部材に照明手段を設ける場合には、たとえシート類の枚数が多くても照明の光が上を向くことがないので、シート類の最表面を適正且つ正確に照明することができる。このように、本発明によれば、上支持部材の姿勢を一定に保つことができる構造により、シート類の枚数が多い場合に上支持部材が斜め上を向くことに基づいて従来のクリップ装置で生じていた不具合を好適に解消することができる。
【図面の簡単な説明】
【図１】本発明の一実施形態を適用した電子ペンシステムを示す概観図。
【図２】同実施形態においてロック部材をロック姿勢とした状態を示す斜視図。
【図３】同実施形態においてロック部材をロック解除姿勢とした状態を示す斜視図。
【図４】同実施形態を示す分解斜視図。
【図５】同実施形態を示す平面図。
【図６】同正面図。
【図７】同左側面図。
【図８】同背面図。
【図９】図５（ａ）をａ−ａ線で破断して内部構造を省略して示す拡大断面図。
【図１０】図６（ｃ）をｂ−ｂ線で破断して内部構造を省略して示す拡大断面図。
【図１１】図６（ａ）をｃ−ｃ線で破断して内部構造を省略して示す拡大断面図。
【図１２】本発明の一変形例の使用態様を示す斜視図。
【符号の説明】
１、１０…クリップ装置
２…下支持部材
３…上支持部材
４…ロック部材
４ｐ…ロック姿勢
４ｑ…ロック解除姿勢
５…カム軸
２１ａ…上向面
２３…ガイド部
２５…弾性部材（コイルバネ）
３２ａ…下向面
４２…操作部
２１３…差込案内部（段差）
２１５…弾性押圧部
３１６ａ…被ガイド部
４１２…当接部（前面）
４１６…カム部
Ｐ…シート類（用紙）
Ｘ…昇降手段
Ｙ…ロック手段
【図１】
2004136471.tif 000003
【図２】
2004136471.tif 000004
【図３】
2004136471.tif 000005
【図４】
2004136471.tif 000006
【図５】
2004136471.tif 000007
【図６】
2004136471.tif 000008
【図７】
2004136471.tif 000009
【図８】
2004136471.tif 000010
【図９】
2004136471.tif 000011
【図１０】
2004136471.tif 000012
【図１１】
2004136471.tif 000013
【図１２】
2004136471.tif 000014